(57)【要約】【課題】  小型で使い勝手の良いディスプレイ昇降装置を提供すること。【解決手段】  垂直に固定された第１支柱１２１と、第１支柱１２１を取り囲む形状であって、第１支柱に沿って昇降可能な第２支柱１２２と、第２支柱１２２を取り囲む形状であり、第２支柱に沿って昇降可能であって、ディスプレイを載置可能な載置部１２７と、を有し、第２支柱１２２を第１支柱１２１に対して昇降させ、載置部１２７を第２支柱１２２に対して昇降させることによって、載置部１２７に載置したディスプレイ２００を昇降させる。【選択図】  図３
2006030567.tif 000002
【特許請求の範囲】
【請求項１】
垂直に固定された第１支柱と、
前記第１支柱を取り囲む形状であって、前記第１支柱に沿って昇降可能な第２支柱と、
前記第２支柱を取り囲む形状であり、前記第２支柱に沿って昇降可能であって、ディスプレイを載置可能な載置部と、
を有し、
前記第２支柱を前記第１支柱に対して昇降させ、前記載置部を前記第２支柱に対して昇降させることによって、前記載置部に載置したディスプレイを昇降させることを特徴とするディスプレイ昇降装置。
【請求項２】
前記載置部は、内部に定荷重ばねを備え、該定荷重ばねの弾性力を用いて、前記第２支柱を前記第１支柱に対して上方に付勢し、前記載置部を前記第２支柱に対して上方に付勢することを特徴とする請求項１に記載のディスプレイ昇降装置。
【請求項３】
前記定荷重ばねにその一端を接続されたワイヤが、前記載置部に設けられた第１ローラに巻回された後、前記第２支柱の上端に設けられた第２ローラに巻回され、更に前記第２支柱の下端に設けられた第３ローラに巻回され、前記第１支柱の上端部にその他端を固定されることを特徴とする請求項２に記載のディスプレイ昇降装置。
【請求項４】
前記第１ローラの回転を制止するストッパと、
前記ストッパによる前記第１ローラの回転の制止を解除する解除部と、
を更に有することを特徴とする請求項３に記載のディスプレイ昇降装置。
【請求項５】
前記ストッパの制止力を一定値以下に制限する制限部材を更に有することを特徴とする請求項４に記載のディスプレイ昇降装置。
【請求項６】
前記第１支柱の下端と前記第２支柱の上端とを結び、前記第２支柱を下方に付勢する弾性部材を更に有することを特徴とする請求項１に記載のディスプレイ昇降装置。
【請求項７】
前記載置部は、前記ディスプレイの傾きを変更するためのチルト機構を含むことを特徴とする請求項１に記載のディスプレイ昇降装置。
【発明の詳細な説明】
【技術分野】
【０００１】
本発明は、ディスプレイを昇降する昇降装置に関するものである。
【背景技術】
【０００２】
従来から、ディスプレイを支持しつつ昇降する装置が知られている（特許文献１参照）。
【特許文献１】特開２００２−２５４９９２号公報
【発明の開示】
【発明が解決しようとする課題】
【０００３】
しかしながら、従来のディスプレイ昇降装置は、小型化を図るという発想は乏しく、ディスプレイが下方に位置しても、装置の大きさが変わらなかった。そのため、ディスプレイを見ている人間と、その向かい側にいる人間とが、ディスプレイ越しに話をする場合など、ディスプレイ自体を下方に移動させても昇降装置が邪魔になる場合があった。
【０００４】
本発明は上記従来技術の課題を解決するためになされたもので、その目的とするところは、小型で使い勝手の良いディスプレイ昇降装置を提供することにある。
【課題を解決するための手段】
【０００５】
上記目的を達成するため、本発明に係るディスプレイ昇降装置は、
垂直に固定された第１支柱と、
前記第１支柱を取り囲む形状であって、前記第１支柱に沿って昇降可能な第２支柱と、
前記第２支柱を取り囲む形状であり、前記第２支柱に沿って昇降可能であって、ディスプレイを載置可能な載置部と、
を有し、
前記第２支柱を前記第１支柱に対して昇降させ、前記載置部を前記第２支柱に対して昇降させることによって、前記載置部に載置したディスプレイを昇降させることを特徴とする。
【０００６】
このような構成により、ディスプレイを上昇、下降させてもディスプレイよりも上方に支柱が大きく残ることを防止できる。したがって、昇降装置が、ディスプレイを見ている人と、その向かい側の人と障壁となることはない。
【０００７】
前記載置部は、内部に定荷重ばねを備え、該定荷重ばねの弾性力を用いて、前記第２支柱を前記第１支柱に対して上方に付勢し、前記載置部を前記第２支柱に対して上方に付勢することを特徴とする。
【０００８】
前記定荷重ばねにその一端を接続されたワイヤが、前記載置部に設けられた第１ローラに巻回された後、前記第２支柱の上端に設けられた第２ローラに巻回され、更に前記第２支柱の下端に設けられた第３ローラに巻回され、前記第１支柱の上端部にその他端を固定されることを特徴とする。
【０００９】
前記第１ローラの回転を制止するストッパと、
前記ストッパによる前記第１ローラの回転の制止を解除する解除部と、
を更に有することを特徴とする。
【００１０】
前記ストッパの制止力を一定値以下に制限する制限部材を更に有することを特徴とする。
【００１１】
前記第１支柱の下端と前記第２支柱の上端とを結び、前記第２支柱を下方に付勢する弾性部材を更に有することを特徴とする。
【００１２】
前記載置部は、前記ディスプレイの傾きを変更するためのチルト機構を含むことを特徴とする。
【発明の効果】
【００１３】
本発明によれば、小型で使い勝手の良いディスプレイ昇降装置を提供することができる。
【発明を実施するための最良の形態】
【００１４】
以下に、図面を参照して、この発明の好適な実施の形態を例示的に詳しく説明する。ただし、この実施の形態に記載されている構成要素の相対配置、数値等は、特に特定的な記載がない限りは、この発明の範囲をそれらのみに限定する趣旨のものではない。
【００１５】
本発明の実施の形態として、平面型の液晶タッチパネルを昇降する昇降装置１００の構成について図１〜図１０を用いて説明する。
【００１６】
図１は、昇降装置１００に液晶タッチパネルディスプレイ２００を設置した昇降型ディスプレイシステム１の外観図である。
【００１７】
この昇降型ディスプレイシステム１は、学校や講演会場などで特に効果を発揮するシステムである。学校や講演会場で講師が話をする場合、常に講師が生徒（聴衆）に向いていることが望ましい。しかし、黒板に文字を書いたりプロジェクタで映し出された画像を直接指示したりしながら講義を行なう場合には、どうしても生徒（聴衆）に背を向けることになる。
【００１８】
そこで、講師の手元にタッチパネルディスプレイを設置し、そのタッチパネルディスプレイに表示された画像に対して電子ペンなどで指示をしながら講義を行ない、同時に、その様子を生徒の手元にある端末や、プロジェクタなどで表示すれば、講師は常に生徒（聴衆）の方を向きながら講義を行なうことができる。しかしながら、従来は、講師の身長や好みに合わせて高さを調整でき、かつ、講師と生徒（聴衆）との対面感覚を損なわないディスプレイ昇降装置は存在していなかった。そこで、本実施形態における昇降装置１００は、ディスプレイを昇降可能であって、かつ、ディスプレイを下方に移動させ、講師の視点が低い状態であっても、講師の視界を妨げないことを特徴とするものである。
【００１９】
図２に示すように、講師２は、昇降装置１００を調節して、自分の身長に合った高さにディスプレイ２００をセッティングし、ディスプレイ２００を電子ペン２１０で操作しながら、対面にいる生徒（聴衆）５に説明を行なうことができる。ディスプレイ２００は、汎用のＰＣ３に接続されており、ＰＣ３は、各生徒（聴衆）５に与えられたＰＣ４にネットワーク接続されている。そのため、ディスプレイ２００に表示された画像は、リアルタイムでＰＣ４に表示され、生徒（聴衆）５はその画面を見ながら講師２の話を聞くことができる。
【００２０】
なお、このシステム１の利用方法はこれに限定されるものではなく、ＰＣ３に接続された大型ディスプレイやプロジェクタによって、講師２の背後にディスプレイ２００に表示された画像と同じ画像を拡大表示する構成としても良い。なお、ディスプレイ２００の内部にＣＰＵやＲＯＭやＲＡＭやＨＤＤなどのコンピュータ機能が組み込まれていてもよい。
【００２１】
一方、椅子に座った状態で講義を行なう場合には、ディスプレイ２００を低い位置にセッティングする必要がある。昇降装置１００は、ディスプレイ２００を下げると、ディスプレイ２００を支える支柱自体が短くなる構成となっているため、講師と生徒（聴衆）との間で視界が遮断されることがなく、対面講義の効果を損なうことがない。
【００２２】
具体的に、昇降装置１００は、図１に示すように、ベース部１１０と、ベース部１１０に固定され伸縮自在な支柱１２０と、支柱に対して上下動可能な載置部１２７と、を備えており、載置部１２７にタッチパネルディスプレイ２００が載置固定される。
【００２３】
ベース部１１０には、変形を防止するための、線状の溝部１１１と円形状の凹部１１２が形成されている。また、載置部１２７には、ストッパ解除レバー１４０が設けられており、このレバーを上方に上げつつディスプレイ２００を押し下げることによって、ディスプレイ２００が下方に移動する。
【００２４】
次に、昇降装置１００の内部構成について、図３〜図４を用いて説明する。図３は、昇降装置１００の内部構成を概略的に示す側断面図である。ベース１１０には、第１支柱１２１が垂直に固定されている。図４（ａ）は、第１支柱１２１のみを取りだした場合の上方から見た断面図である。第１支柱１２１には、その側壁において、上下方向にレール１２１ａが延設されている。図４（ａ）に示すとおり、第１支柱１２１は筒状であり、中空部分１２１ｂを有している。中空部分１２１ｂの下端には、弾性部材としてのコイルスプリング１２３の一端が固定されている。
【００２５】
また、昇降装置１００は、第１支柱１２１を取り囲む形状の第２支柱１２２を備えている。図４（ｂ）は、第２支柱１２２のみを取りだした場合の上方から見た断面図である。図４（ｂ）に示すように、第２支柱１２２もまた、その側壁において、上下方向にレール１２２ａが延設されている。また更に、筒状であって、第１支柱１２１が挿入される中空部分１２２ｂを備えている。中空部分１２２ｂには、その下端にローラ１２４が回転自在に取り付けられており、このローラ１２４が第１支柱１２１のレール１２１ａ内を回転しながら上下方向に移動可能となっている。なお、図４（ｂ）では分からないがローラ１２４は、上下に２つ並ぶように取り付けられており、第２支柱１２２が第１支柱１２１に対して前後方向にぐらつかないように構成されている。第２支柱１２２の中空部分１２２ｂの上端にはコイルスプリング１２３の他端が固定されている。図では、コイルスプリング１２３の他端が、第２支柱１２２の内壁の上部に固定されているが、第２支柱１２２の上面の蓋部分に固定してもよい。第２支柱１２２の前面側の下端部及び上端部には、ローラ１２５ａ、１２５ｂが設けられており、ワイヤ１２６が巻回されている。このワイヤ１２６の一端は、第１支柱１２１の上部に固定されている。
【００２６】
また更に、昇降装置１００は、第２支柱１２２を取り囲む形状であって、第２支柱１２２のレール１２２ａに沿って昇降可能な載置部１２７を備えている。図４（ｃ）は、載置部１２７のみを取りだした場合の、上方から見た断面図である。図４（ｃ）に示すように載置部１２７は、第２支柱１２２が挿入される中空部分１２７ｂを備えている。中空部分１２７ｂの内側壁には、ローラ１２８が回転自在に取り付けられており、このローラ１２８が第２支柱１２２のレール１２２ａ内を回転しながら上下方向に移動可能となっている。このようなローラ１２４、１２８とレール１２１ａ、１２２ａの構成により、第２支柱１２２を第１支柱１２１に対して昇降させ、載置部１２７を第２支柱１２２に対して昇降させて、載置部１２７に載置したディスプレイ２００を昇降させることが可能となる。なお、図４（ｃ）では分からないが、ローラ１２８も上下に２つ並べて取り付けられており、載置部１２７が第２支柱１２２に対して前後方向にぐらつかないように構成されている。図５は、載置部１２７のみを支柱１２０（第１支柱１２１及び第２支柱１２２）に対して上昇させた状態を示しており、図６は、図５の状態から、更に、載置部１２７及び第２支柱１２２を第１支柱１２１に対して上昇させた状態を示している。
【００２７】
図３に戻ると、載置部１２７の内部において、第２支柱１２２に近い位置には、ワイヤ１２６を複数回巻回されたローラ１２９が設けられている。また、載置部１２７は、内部に定荷重ばね１３０を備え、ローラ１２９に巻回されたワイヤ１２６の一端は、定荷重ばね１３０に取り付けられたローラ１３１に更に巻回され、固定されている。即ち、ワイヤ１２６は、定荷重ばね１３０にその一端を接続され、載置部１２７に設けられた第１ローラ１２９に巻回された後、第２支柱１２２の上端に設けられた第２ローラ１２５ｂに巻回され、更に第２支柱１２２の下端に設けられた第３ローラ１２５ａに巻回され、第１支柱１２１の上端部にその他端を固定されている。
【００２８】
定荷重ばね１３０は、３つのローラ１３０ａ〜ｃに金属製の薄板１３０ｄが巻回された構造となっており、薄板１３０ｄは板ばねとして、自らを巻き取ろうとする力を有しており、そのため、ローラ１３０ａ及びローラ１３０ｃは、図４（ｃ）において右に回転しようとする。その回転力がローラ１３０ｂに伝わり、ローラ１３０ｂは左回転しようとする。ローラ１３１は真ん中のローラ１３０ｂに固定されており一体的に回転するため、ローラ１３０ｂの回転力は、ローラ１３１に巻回されたワイヤ１２６に伝わり、ワイヤ１２６を前方に引っ張るような張力を生みだす。
【００２９】
定荷重ばね１３０は、その構成により、名前の通り、その変位（回転）に拘わらずほぼ一定の荷重を生みだす。そのためワイヤ１２６の張力は、その巻き出し長さに拘わらず常にほぼ一定である。ワイヤ１２６の張力は、ローラ１２９とローラ１２５ｂとを近づける方向に付勢し、更に、ローラ１２５ａと第１支柱１２１の上部とを近づける方向に付勢する。
【００３０】
これにより、定荷重ばね１３０の弾性力は、第２支柱１２２を第１支柱１２１に対して上方に付勢し、更に、載置部１２７を第２支柱１２２に対して上方に付勢することになる。この時、第１支柱１２１の下端部と第２支柱１２２の上端部とはコイルスプリング１２３で接続され、コイルスプリング１２３が第２支柱１２２を下方に付勢する。このため、第２支柱１２２が第１支柱１２１に対して上方に移動するよりも先に載置部１２７が第２支柱に対して上方に移動し、逆に、載置部１２７が第２支柱１２２に対して下方に移動するよりも先に、第２支柱１２２が第１支柱１２１に対して下方に移動する。従って、第２支柱１２２が上方に位置した状態で載置部１２７が下方に位置することはなく、支柱がディスプレイ２００に対して不必要に出っ張ることを防止できる。即ち、支柱が邪魔になって対面講義の効力を失わせるというような状況を防止できる。
【００３１】
ここで、コイルスプリング１２３の最長時の張力は、第２支柱１２２の重さ（例えば０．７ｋｇｗ）と、第２支柱１２２と第１支柱１２１との間の静止摩擦力（例えば０．８ｋｇ）を考慮した力（例えば０．５ｋｇｗ）であることが望ましい。
【００３２】
更に、定荷重ばね１３０の弾性力、つまり、ワイヤ１２６の張力は、ディスプレイ２００の重さ（例えば３．５Ｋｇ）と載置部１２７の重さ（例えば０．３Ｋｇ）と第２支柱１２２の重さ（例えば、０．７Ｋｇ）とコイルスプリング１２３の最長時の張力（例えば０．５ｋｇｗ）を合計した値或いはそれよりも若干大きな値（例えば５ｋｇｗ）にすることが望ましい。
【００３３】
このように、昇降装置１００では、定荷重ばね１３０とワイヤ１２６を用いて、調整された力により、載置部１２７及び第２支柱１２２を第１支柱１２１に対して上方に付勢する。これにより、ディスプレイ２００が勝手に上昇することなく、かつ、手を添えて軽く力を加えるだけでディスプレイ２００が上方に移動する昇降装置１００を実現できる。
【００３４】
図３に戻ると、載置部１２７の前方上部には、ディスプレイ２００を載置するための載置プレート１３２が取り付けられている。載置プレート１３２は、載置部１２７の前方内部に設けられた軸１３３を中心に回動可能な構成となっており、傾いた状態でディスプレイ２００を支持できるように、チルト機構１３４が設けられている。チルト機構は、ピニオン付きワンウェイロータリダンパとラックとの組合せで構成されている。これにより、ディスプレイ２００の傾斜角を無段階に調整することができる。傾いた状態でディスプレイ２００を保持する力は、ディスプレイ２００の大きさや重量、ディスプレイ２００に対して手やペンで押圧される力、チルト機構１３４の位置などを総合的に考慮して設定すればよい（例えば５ｋｇ）。
【００３５】
また、載置プレート１３２の後端には、Ｌ字プレート１３５が設けられている。ディスプレイ２００の上端に接続された各種のコード（不図示）を、Ｌ字プレート１３５に沿って、昇降装置１００の片側に案内することによって、それらのコードが、ワイヤ１２６や第２支柱１２２と載置部１２７との摺動部分に巻き込まれないように構成されている。
【００３６】
図７に、ディスプレイ２００がチルト機構１３４によって傾けられた状態を示す。このようにディスプレイ２００の傾きを変えることにより、よりユーザの使い勝手が向上する。なお、図７では、ディスプレイ２００が最下位に位置する状態で傾斜させた状態を示したが、もちろんチルト機構１２４は、ディスプレイ２００の位置に拘わらず機能し、どのような高さにある場合にもディスプレイ２００を自由に傾けることができる。なお、図８は載置プレート１３２のみを斜めから見た図である。載置部１２７に対して、軸１３３を中心に回動可能な形状となっている。
【００３７】
次に、ディスプレイ２００に対して上方から手やペンで力を加えられた場合に、昇降装置１００の下方向の動き（載置部１２７の第２支柱１２２に対する移動及び第２支柱１２２の第１支柱１２１に対する移動）を制限するストッパと、そのストッパによる制止を解除する解除レバー１４０の機構について、図９及び１０を用いて説明する。なお、図９は、昇降装置１００を上方から見た断面図であり、図４（ａ）〜（ｃ）を組み合わせた図である。図１０（ａ）、（ｂ）は、載置部１２７の内部に設けられたストッパと解除レバーの動きを説明するための概略図である。図１０（ａ）は、右側から見た側断面図であり、図１０（ｂ）は、後ろ側から見た断面図である。図１０（ａ）（ｂ）においては、説明を分かりやすくするため、ベース部１１０や第１支柱１２１や第２支柱１２２や載置プレート１３２やディスプレイ２００などを省略して示している。
【００３８】
昇降装置１００では、ディスプレイ２００の昇降にワイヤ１２６の巻出し及び巻取りが伴うため、このワイヤ１２６の動きを止めれば、ディスプレイ２００の昇降、つまりは昇降装置１００の動きを止めることができる。そこで、ここでは、ローラ１２９の周りに、昇降装置１００の動きを制限するストッパとしてのトーションスプリング１４１を巻き付ける構成とした。つまり、ワイヤ１２６が複数回巻回されたローラ１２９を、トーションスプリング１４１で把持することにより制止させ、これによりワイヤ１２６の動きを制止し、昇降装置１００の動きを止める。
【００３９】
トーションスプリング１４１は、その一端１４１ａが載置部１２７に固定されており、ローラ１２９に複数回巻き付いた後、他端１４１ｂは、ローラ１２９の下方にて横方向に張出し、自由端となっている。ここでは、トーションスプリング１４１の巻き付き方向は、ローラ１２９に対するワイヤ１２６の巻き付き方向と同方向である。このため、ディスプレイ２００に対して下方に力をかけ、ワイヤ１２６を巻き出そうとして、ローラ１２９が左回転（図１０の矢印方向）すると、ローラ１２９とトーションスプリング１４１との摩擦によって、トーションスプリング１４１も左回転しようとする。そのとき、トーションスプリング１４１の一端１４１ａは固定されているので、他端１４１ｂのみが少し左に回転する。この状態では、トーションスプリング１４１の内径がローラ１２９の外径よりも若干小さくなるため、ローラ１２９をトーションスプリング１４１が把持することとなり、ローラ１２９の回転に対する抵抗力を生じる。逆に言えば、ワイヤ１２６を巻き出す際のローラ１２９の回転方向と同じ方向に自由端１４１ｂが移動した場合に、その内径が小さくなるように、トーションスプリング１４１の巻回方向並びに固定端及び自由端が設定されている。
【００４０】
解除レバー１４０は、軸１４５を中心に回動可能であり、解除レバー１４０の後側端部は、トーションスプリング１４１の他端１４１ｂに上側から接触可能な位置に配置されている。従って、解除レバー１４０の前側端部を押し上げると、トーションスプリング１４１の他端１４１ｂを下方に押し下げられる。これにより、トーションスプリング１４１は、内径が広がる方向（図中右回転）に回転する。トーションスプリング１４１の内径が広がった状態では、ローラ１２９とトーションスプリング１４１との摩擦が生じず、トーションスプリング１４１によるブレーキ効果は働かないため、ユーザは軽微な力でディスプレイ２００を下降させることができる。即ち、解除レバー１４０を操作することにより、ストッパとしてのトーションスプリング１４１によるローラ１２９の回転の制止を解除することができる。
【００４１】
通常時のトーションスプリング１４１の内径が、ローラ１２９の外径と等しいか、或いは若干小さくなるように、トーションスプリング１４１を選択すれば、ブレーキ効果を効果的に発揮することができる。なお、このブレーキ効果は、トーションスプリング１４１がローラ１２９に巻き付く方向、つまり、ワイヤ１２６が巻だされる方向にローラ１２９が回転する時にのみ働き、ディスプレイ２００の下降を制止する。ローラ１２９が逆方向（図１０で右回転方向）に回転する場合には、トーションスプリング１４１は、内径が広がる方向に回転するため、ブレーキ効果は働かず、ユーザは軽微な力でディスプレイ２００を上昇させることができる。
【００４２】
一方、解除レバー１４０を操作しない状態でトーションスプリング１４１の他端１４１ｂが完全に自由になっていると、ディスプレイ２００に下方向の力を加えた場合に、ローラ１２９の回転に伴い、トーションスプリング１４１がローラ１２９に対して非常に強く巻き付き、その回転をがっちりと制止してしまうことになる。その場合、ディスプレイ２００に加えられた下方向の力は、モーメントとして第２支柱１２２と載置部１２７とを接続しているローラ１２８にかかってしまい、ローラ１２８が変形したり、その軸が破損したりする恐れがある。そこで、昇降装置１００では、トーションスプリング１４１の他端１４１ｂが図１０の右方向に回転しすぎないように、トーションスプリング１４１の制止力を一定値（例えば１０ｋｇ）以下に制限する制限部材としてのネジ１４２を設けている。
【００４３】
ネジ１４２は、解除レバー１４０の後端位置を規制するものである。トーションスプリング１４１の他端１４１ｂがどこまで回転した時点で、解除レバー１４０の後端の下面に当接するかによって、ディスプレイ２００に加えられた下方向の力に対する制止力が決まる。つまり、トーションスプリング１４１の他端１４１ｂが解除レバー１４０に当接した状態で、トーションスプリング１４１がローラ１２９にどれほど強く巻き付いているか、その把持力が、ディスプレイ２００の制止力となる。ネジ１４２を下方にねじ込んだり、上方にねじ回したりすることによって、通常時の解除レバー１４０の位置が決まり、それによってディスプレイ２００の制止力も決まる。ネジ１４２を下方にねじ込めば、トーションスプリング１４１の他端１４１ｂが直ぐに解除レバー１４０に当接することとなり、ディスプレイ２００の下方制止力は弱まる。一方、ネジ１４２を上方に移動させれば、トーションスプリング１４１がローラ１２９を強く把持した状態で他端１４１ｂが解除レバー１４０に当接することとなり、ディスプレイ２００の下方制止力は強くなる。
【００４４】
以上、説明したように、昇降装置１００によれば、講師の身長や好みに合わせてディスプレイ２００の高さや傾きを調整でき、かつ、講師と生徒（聴衆）との対面感覚を損なうことを防止できる。
【００４５】
なお、上記実施形態で使用した図面では、第１支柱１２１と第２支柱１２２とがほぼ同じ高さに描かれているが、これに限定されるものではなく、第１支柱１２１よりも第２支柱１２２が高くてもよい。
【００４６】
また、実施形態では、第１支柱１２１のレール１２１ａに沿って第２支柱１２２のローラ１２４が回転しながら移動する構成としたが、本発明はこれに限定されるものではなく、第１支柱１２１の側壁にローラを設け、そのローラが第２支柱１２２の空間１２２ｂに設けられたレール内を移動することにより、第２支柱１２２が第１支柱１２１に対して上下移動する構成としても良い。
【００４７】
また、上記実施形態では、第２支柱１２２を下方に付勢する弾性部材として、コイルスプリング１２３を用いたが、本発明はこれに限定されるものではなく、弾性部材としてゴムなどを用いても良い。
【図面の簡単な説明】
【００４８】
【図１】本発明の実施の形態に係る昇降装置の外観及び基本的な動作を示す図である。
【図２】本発明の実施の形態に係る昇降装置の使用状態を示す図である。
【図３】本発明の実施の形態に係る昇降装置の内部構成を示す概略図である。
【図４】本発明の実施の形態に係る昇降装置の内部機構を示す断面図である。
【図５】本発明の実施の形態に係る昇降装置の動作を示す概略図である。
【図６】本発明の実施の形態に係る昇降装置の動作を示す概略図である。
【図７】本発明の実施の形態に係る昇降装置の動作を示す概略図である。
【図８】本発明の実施の形態に係る昇降装置の内部機構を示す概略図である。
【図９】本発明の実施の形態に係る昇降装置の内部機構を示す断面図である。
【図１０】本発明の実施の形態に係る昇降装置の内部構成を示す概略図である。
【図１】
2006030567.tif 000003
【図２】
2006030567.tif 000004
【図３】
2006030567.tif 000005
【図４】
2006030567.tif 000006
【図５】
2006030567.tif 000007
【図６】
2006030567.tif 000008
【図７】
2006030567.tif 000009
【図８】
2006030567.tif 000010
【図９】
2006030567.tif 000011
【図１０】
2006030567.tif 000012